(57)【要約】【課題】片足のつま先で２方向同時に透視操作ができるフットスイッチを備えたバイプレーンのＸ線透視撮影装置を提供する。【解決手段】透視撮影操作用のフットスイッチ１０は、突起１１ａを有するペダル１１と、突起１２ａを有するペダル１２と、ペダル１３を備えており、突起１１ａと突起１２ａの間隔は術者のつま先の幅より狭い構成である。ペダル１１を踏むと第１の方向の透視が行われ、ペダル１２を踏むと第２の方向の透視が行われる。つま先で突起１１ａと突起１２ａを踏むと２方向同時に透視が行われる。【選択図】          図１
2010264136.tif 000002
【特許請求の範囲】
【請求項１】
Ｘ線を曝射するＸ線管装置と被検者を透過したＸ線像を映像信号に変換する受像系とからなるシステムを２式備えるとともに、前記２式のシステムの透視撮影操作をするフットスイッチを備えたＸ線透視撮影装置において、前記フットスイッチは前記２式のシステム各々を個別に透視操作するペダルを備えるとともに、片足のつま先で前記２式のシステムを同時に透視するように操作できる操作手段を備えたことを特徴とするＸ線透視撮影装置。
【請求項２】
それぞれ透視操作をするための個々のペダルを片足のつま先で操作できる近接位置に配設したことを特徴とする請求項１記載のＸ線透視撮影装置。
【請求項３】
それぞれ透視操作をするための個々のペダルが対向する内側に突起を形成し、前記突起の間隔をつま先の幅より狭くしたことを特徴とする請求項１記載のＸ線透視撮影装置。
【発明の詳細な説明】
【技術分野】
【０００１】
本発明は、Ｘ線透視撮影装置に係り、特に被検者に対して２方向のＸ線画像を得るようにしたバイプレーンのＸ線透視撮影装置における透視撮影操作用フットスイッチに関する。
【背景技術】
【０００２】
従来、Ｘ線ＴＶシステムでＸ線透視画像を観察し（これを「透視」という）、必要と思われる画像となったときにフィルム撮影に切り換えてフィルムへの記録（これを「撮影」という）を行うことができるようにしたＸ線透視撮影装置が知られている。検査によっては２方向から透視または撮影を行う必要がある場合があり、そのための２方向透視撮影装置も知られている。フィルムを備えていないＸ線透視撮影装置では例えばＦＰＤで構成される受像系で得られる画像を記憶装置に保存することを撮影という。
【０００３】
近年、ＦＰＤなどで構成されＸ線２次元情報を映像信号に変換する受像系とＸ線を曝射するＸ線管装置をＣアームの両端に対向配置したシステムを２式（両者をＡシステムとＢシステムとする）備えたＸ線透視撮影装置が提供されている。該Ｘ線透視撮影装置は図３に示す透視撮影操作用のフットスイッチ３０を備え、ペダル３１が操作されるとＡシステムによる透視が行われ、ペダル３２が操作されるとＢシステムによる透視が行われる。ペダル３３が操作されるとＡシステムおよび／あるいはＢシステムによる撮影が行われる。撮影が行われるＡシステムとＢシステムの組み合わせは図示しない操作盤により指示される。
【０００４】
一方、透視像を表示するモニタを見やすくするために部屋の照明を暗くする操作と、透視をオン、オフ操作する透視用フットスイッチとを連動させ、術者が照明の明るさを指示するなどの負担を軽減したＸ線透視撮影装置が提供されている（特許文献１参照）。
【先行技術文献】
【特許文献】
【０００５】
【特許文献１】特開平８−５２１２９号公報
【発明の概要】
【発明が解決しようとする課題】
【０００６】
図３に示す従来の透視撮影操作用のフットスイッチ３０は、ＡシステムとＢシステムの透視を同時に行う場合、ペダル３１とペダル３２を同時に操作する必要があるが、つま先で２つのペダル３１、３２を同時に操作するのは困難であり、足先を横に向けて２つのペダル３１、３２を操作するか両足で各々のペダル３１、３２を踏むなど、術者に無理な姿勢を要求するものであった。
【課題を解決するための手段】
【０００７】
本発明は、Ｘ線を曝射するＸ線管装置と被検者を透過したＸ線像を映像信号に変換する受像系とからなるシステムを２式備えるとともに、前記２式のシステムの透視撮影操作をするフットスイッチを備えたＸ線透視撮影装置において、前記フットスイッチは前記２式のシステム各々を個別に透視操作するペダルを備えるとともに、片足のつま先で前記２式のシステムを同時に透視するように操作できる操作手段を備えたものである。しかもそれぞれ透視操作をするための個々のペダルを片足のつま先で操作できる近接位置に配設したものである。またそれぞれ透視操作をするための個々のペダルが対向する内側に突起を形成し、前記突起の間隔をつま先の幅より狭くしたものである。したがって、術者は無理な姿勢をすることなく２式のシステムで同時に透視をすることができる。
【発明の効果】
【０００８】
前記フットスイッチは、２式のシステムを同時に透視するように操作する場合、術者は足先を横に向けて２つのペダルを操作するとか両足で各々のペダルを踏むなど無理な姿勢をすることなく、片足のつま先で透視操作をすることができ、術者の負担が軽減される。
【図面の簡単な説明】
【０００９】
【図１】本発明の実施例による透視撮影操作用のフットスイッチの概略構造を示す図である。
【図２】本発明の実施例によるＸ線透視撮影装置の概略構成を示す図である。
【図３】従来の透視撮影操作用のフットスイッチの概略構造を示す図である。
【発明を実施するための形態】
【００１０】
本発明の実施例によるＸ線透視撮影装置は、ＦＰＤなどで構成されＸ線２次元情報を映像信号に変換する受像系とＸ線を曝射するＸ線管装置をＣアームの両端に対向配置したシステム２式で構成されるバイプレーンシステムである。
【実施例】
【００１１】
本発明の実施例について図１、図２を参照して説明する。図１は、本発明の実施例による透視撮影操作用のフットスイッチ１０の概略構造を示す図である。図２は、本発明の実施例によるＸ線透視撮影装置の概略構成を示す図である。
【００１２】
本発明の実施例によるＸ線透視撮影装置は、図２に示すとおり、ＦＰＤなどで構成されＸ線２次元情報を映像信号に変換する受像系３とＸ線を曝射するＸ線管装置２を回動可能に保持されたＣアーム４の両端に被検者Ｍを挟んで対向配置したＡシステム１と、ＦＰＤなどで構成されＸ線２次元情報を映像信号に変換する受像系７とＸ線を曝射するＸ線管装置６を回動可能に保持されたＣアーム８の両端に被検者Ｍを挟んで対向配置したＢシステム５と、寝台９に移動可能に保持され被検者Ｍを載置する天板９ａと、床に配設された透視撮影操作用のフットスイッチ１０と、天板９ａに移動可能に保持された操作部１５と、天井に支持され画像を表示するモニタ１６などで構成される。
【００１３】
透視撮影操作用のフットスイッチ１０は、図１に示すとおり、突起１１ａを有するペダル１１と、突起１２ａを有するペダル１２と、ペダル１３を備えており、突起１１ａと突起１２ａの間隔は術者のつま先の幅より狭い構成である。
【００１４】
ペダル１１を操作するとＡシステム１により透視が行われ、ペダル１２を操作するとＢシステム５により透視が行われる。突起１１ａ、１２ａをつま先で同時に踏み操作するとＡシステム１とＢシステム５が同時に透視を行う。ペダル１３を操作するとＡシステム１および／あるいはＢシステム５による撮影が行われる。撮影が行われるＡシステム１とＢシステム５の組み合わせは操作部１５で指定される。
【００１５】
本発明は以上の構成であるから、Ａシステム１とＢシステム５の各々を個別に透視操作することができ、かつ、Ａシステム１とＢシステム５が同時に透視するように操作する場合、術者は足先を横に向けて２つのペダル１１、１２を操作するとか両足で各々のペダル１１、１２を踏むなど無理な姿勢をすることなく、片足のつま先で突起１１ａ、１２ａを同時に踏めばよい。したがって術者の負担が軽減される。
【００１６】
図に示す実施例においては、２つの突起１１ａ、１２ａが形成されているが、例えば突起１１ａが形成されていなくてもペダル１１と突起１２ａの間隔が術者のつま先の幅より狭ければ本発明は適用可能である。上述のとおり本発明は図示例に限定されるものではなく種々の変形例を包含する。
【産業上の利用可能性】
【００１７】
本発明は、Ｘ線透視撮影装置に係り、特に被検者に対して２方向のＸ線画像を得るようにしたバイプレーンのＸ線透視撮影装置における透視撮影操作用フットスイッチに利用の可能性がある。
【符号の説明】
【００１８】
１  Ａシステム
２  Ｘ線管装置
３  受像系
４  Ｃアーム
５  Ｂシステム
６  Ｘ線管装置
７  受像系
８  Ｃアーム
９  寝台
９ａ  天板
１０  フットスイッチ
１１  ペダル
１１ａ  突起
１２  ペダル
１２ａ  突起
１３  ペダル
１５  操作部
１６  モニタ
３０  フットスイッチ
３１  ペダル
３２  ペダル
３３  ペダル
Ｍ  被検者
【図１】
2010264136.tif 000003
【図２】
2010264136.tif 000004
【図３】
2010264136.tif 000005